(57)【要約】【課題】図柄の表示における見栄えが際立って良好な車両用表示装置を提供する。【解決手段】車両用表示装置は、透光性を有する板状に延設された導光板と、導光板の内部にて、導光板が延設している方向に進む第１光源光を提供する第１光源部と、導光板の内部にて、第１光源光と交差するように、導光板の延設方向に進む第２光源光を提供する第２光源部と、を備える。導光板は、第１光源光と第２光源光との交差箇所において、第１光源光又は第２光源光を視認側に反射する反射面３５が設けられた反射素子３４が延設方向に沿って複数配置された表示領域ＤＡによって、視認側に図柄３９を表示する反射表示部３３を有する。反射表示部３３は、反射面３５として、第１光源光の入射に対応した方向を向く第１反射面３５ａと、反射面３５として、第２光源光の入射に対応した方向を向く第２反射面３５ｂと、を有する。【選択図】図５
2018091762.tif 000002
【特許請求の範囲】
【請求項１】
車両に搭載される車両用表示装置であって、
透光性を有する板状に延設された導光板（３０）と、
前記導光板の内部にて、前記導光板が延設している方向（ＥＤ）に進む第１光源光を提供する第１光源部（５０ａ，５０ｂ）と、
前記導光板の内部にて、前記第１光源光と交差するように、前記導光板が延設している方向に進む第２光源光を提供する第２光源部（６０ａ〜ｆ）と、を備え、
前記導光板は、前記第１光源光と前記第２光源光との交差箇所において、前記第１光源光又は前記第２光源光を視認側に反射する反射面（３５）が設けられた反射素子（３４）が前記延設している方向に沿って複数配置された表示領域（ＤＡ）によって、視認側に図柄（３９）を表示する反射表示部（３３）を有し、
前記反射表示部は、
前記反射面として、前記第１光源光の入射に対応した方向を向く第１反射面（３５ａ）と、
前記反射面として、前記第２光源光の入射に対応した方向を向く第２反射面（３５ｂ）と、を有する車両用表示装置。
【請求項２】
前記反射表示部は、
前記表示領域として、前記反射素子のうち、前記第１反射面を有する前記反射素子（３４ａ）が複数配置された第１表示領域（ＤＡ１）と、
前記表示領域として、前記反射素子のうち、前記第２反射面を有する前記反射素子（３４ｂ）が複数配置された第２表示領域（ＤＡ２）と、を有する請求項１に記載の車両用表示装置。
【請求項３】
前記反射表示部は、前記第１表示領域と、前記第２表示領域との間に、隙間の領域（ＣＡ）を有する請求項２に記載の車両用表示装置。
【請求項４】
回動する指針（２４）をさらに備え、
前記反射表示部は、前記図柄として、前記指針に指示される目盛図柄（３９ａ）を表示する請求項１から３のいずれか１項に記載の車両用表示装置。
【請求項５】
各前記反射素子は、前記導光板の板面から内部に凹む凹穴状に形成され、前記表示領域において互いに配列され、
前記表示領域の外輪郭に接している前記反射素子は、前記表示領域の中央部に配置されている前記反射素子よりも大きく形成されている大反射素子（３４ｃ）を含む請求項１から４のいずれか１項に記載の車両用表示装置。
【請求項６】
前記第１光源部と前記第２光源部とは、互いに異なる色の光を提供可能に設けられる請求項１から５のいずれか１項に記載の車両用表示装置。
【発明の詳細な説明】
【技術分野】
【０００１】
本発明は、車両に搭載される車両用表示装置に関する。
【背景技術】
【０００２】
従来、車両に搭載される車両用表示装置が知られている。特許文献１に開示の車両用表示装置は、透光性を有する板状に形成された導光板と、導光板の外縁部を介して導光板の内部に光源光を入射させる１箇所の光源部と、を備えている。
【０００３】
導光板は、光源部からの光源光を視認側に反射する反射面が設けられた反射素子が導光板が延設している方向に沿って複数配列された表示領域によって、視認側に図柄を表示する反射表示部を有している。この反射面は、光源部からの光の入射に対応した方向を向いている。
【先行技術文献】
【特許文献】
【０００４】
【特許文献１】特開２０１６−１２１８９０号公報
【発明の概要】
【発明が解決しようとする課題】
【０００５】
しかしながら、特許文献１の構成では、１箇所の光源部からの光が、当該光源部からの光の入射に対応した方向を向く反射面に反射されて、図柄が表示されるだけである。このため、図柄の表示において単一的な表現しか実現できず、見栄えが十分とはいえなかった。
【０００６】
本発明は、以上説明した問題に鑑みてなされたものであって、その目的は、図柄の表示における見栄えが際立って良好な車両用表示装置を提供することにある。
【課題を解決するための手段】
【０００７】
本発明は、車両に搭載される車両用表示装置であって、
透光性を有する板状に延設された導光板（３０）と、
導光板の内部にて、導光板が延設している方向（ＥＤ）に進む第１光源光を提供する第１光源部（５０ａ，５０ｂ）と、
導光板の内部にて、第１光源光と交差するように、導光板が延設している方向に進む第２光源光を提供する第２光源部（６０ａ〜ｆ）と、を備え、
導光板は、第１光源光と第２光源光との交差箇所において、第１光源光又は第２光源光を視認側に反射する反射面（３５）が設けられた反射素子（３４）が延設している方向に沿って複数配置された表示領域（ＤＡ）によって、視認側に図柄（３９）を表示する反射表示部（３３）を有し、
反射表示部は、
反射面として、第１光源光の入射に対応した方向を向く第１反射面（３５ａ）と、
反射面として、第２光源光の入射に対応した方向を向く第２反射面（３５ｂ）と、を有する。
【０００８】
このような発明によると、導光板の内部にて互いに交差する第１光源光及び第２光源光に対して、第１反射面は第１光源光の入射に対応した方向を向き、第２反射面は第２光源光の入射に対応した方向を向いている。このような向きにより、第１光源光は第１反射面により反射され、第２光源光は第２反射面により反射される。したがって、例えば第１光源部及び第２光源部の点灯及び消灯の組み合わせ、また例えば輝度の組み合わせ、また例えば色の組み合わせによって、多様な表現が実現可能となる。以上により、図柄の表示における見栄えが際立って良好な車両用表示装置を提供することができる。
【図面の簡単な説明】
【０００９】
【図１】一実施形態における車両用表示装置の正面図である。
【図２】図１のII−II線断面図である。
【図３】図２のIII部を拡大した図である。
【図４】導光板の正面図であって、第１光源光と第２光源光との関係を説明するための図である。
【図５】図２のV部を拡大した図である。
【図６】図２のVI部を拡大した図である。
【図７】図５目盛図柄の反射素子を拡大して示す図であって、（ａ）第１反射素子の例、（ｂ）第２反射素子の例を示している。
【図８】図７のVIII−VIII線断面図である。
【図９】図７のIX−IX線断面図である。
【図１０】変形例１における図５に対応した図である。
【図１１】変形例２における外縁部と光源部との関係を示す図である。
【発明を実施するための形態】
【００１０】
以下、本発明の一実施形態を図面に基づいて説明する。
【００１１】
図１に示すように、本発明の一実施形態による車両用表示装置１００は、車両に搭載され、当該装置１００を視認する乗員が着座する座席と対向するインストルメントパネルに設置されている。車両用表示装置１００は、乗員が位置することとなる視認側へ向けて車両の情報を表示可能となっている。
【００１２】
なお、本実施形態において、上下は、水平面上の車両を基準に定義される。左右は、座席に着座した乗員が装置１００を正面から見た場合を基準に定義される。
【００１３】
このような車両用表示装置１００は、図２にも示すように、ケース部１０、表示本体部２０、導光板３０、複数の第１光源部５０ａ，５０ｂ、及び複数の第２光源部６０ａ，６０ｂ，６０ｃ，６０ｄ，６０ｅ，６０ｆを備えている。
【００１４】
ケース部１０は、背面ケース１２、ウインドプレート１４、及び透光板１６を有している。背面ケース１２は、例えば遮光性を有する合成樹脂により形成され、表示本体部２０を背面側から覆っている。ウインドプレート１４は、例えば遮光性を有する合成樹脂により、表示本体部２０の外周輪郭に沿って視認側及び当該視認側とは反対の背面側に開口部を有する筒状に形成されている。透光板１６は、例えば着色されたアクリル樹脂等の半透光性樹脂により、ウインドプレート１４の視認側開口部を塞ぐ板状に形成されている。これにより、導光板３０は透光板１６により視認側から覆われている。本実施形態の透光板１６は、スモーク調の着色により、透過率が３０％程度に設定されているが、３０％以上の任意の値に設定されていてもよい。
【００１５】
表示本体部２０は、表示板２１を用いて、車両の情報を表示する。表示板２１は、一般的に文字板とも呼ばれており、背面ケース１２と導光板３０との間に配置されている。表示板２１は、例えば透光性を有する合成樹脂からなる基材の視認側の表面に、半透光性又は遮光性の印刷が部分的に施されて、平板状に形成されている。なお、印刷に代えて、塗装が施されていてもよい。
【００１６】
表示本体部２０は、画像表示部２７、表示灯部２９、及び指針表示部２２を有している。
【００１７】
画像表示部２７は、表示板２１の中央の領域に配置されている。画像表示部２７は、表示板２１よりも背面側に、表示板２１と近接して配置された液晶表示器２８を有している。本実施形態の液晶表示器２８には、薄膜トランジスタ（Thin Film Transistor、ＴＦＴ）を用いた液晶パネルであって、２次元方向に配列された複数の液晶画素から形成されるアクティブマトリクス型の液晶パネルが採用されている。液晶表示器２８は、視認側に画像を表示する矩形状の表示面２８ａを有している。
【００１８】
さらに表示板２１において表示面２８ａと重なる領域には、印刷が施されないことで透光性を有する透光領域２１ｃが、印刷により遮光性を有する遮光領域２１ｄに囲まれることで、矩形状に形成されている。透光領域２１ｃは、表示面２８ａよりも僅かに小さなサイズで形成されている。こうして表示面２８ａに表示された画像の光は、表示板２１を透過する。
【００１９】
表示灯部２９は、表示板２１の下側の領域に配置されている。表示灯部２９は、ヘッドランプの向きを示す表示灯、各種警告を示す表示灯等の複数の表示灯を有している。各表示灯は、表示板２１よりも背面側に配置された発光素子が表示板２１に印刷されたマークを照明することで、車両の情報を表示するようになっている。
【００２０】
本実施形態の指針表示部２２は、表示板２１の左側の領域及び右側の領域にそれぞれ配置されることで、複数設けられている。こうした配置により、画像表示部２７が２つの指針表示部２２に左右に挟まれた配置となっている。
【００２１】
ここで、２つの指針表示部２２は互いに同様の構成となっているため、左側の指針表示部２２について代表して説明する。指針表示部２２は、ステッピングモータ２３、指針２４を有している。ステッピングモータ２３は、背面ケース１２と表示板２１との間に、すなわち表示板２１よりも背面側に配置されたメイン回路基板１８に保持されている。
【００２２】
指針２４は、連結部２４ａ及び指示部２４ｂを一体的に有している。連結部２４ａは、表示板２１に空けられた貫通穴を通して配置されており、ステッピングモータ２３の回転軸２３ａと連結されている。指示部２４ｂは、表示板２１と導光板３０との間に、すなわち表示板２１よりも視認側かつ導光板３０よりも背面側に配置されており、針状を呈している。指針２４は、ステッピングモータ２３の出力に応じて回動するようになっており、指標部８０を指示することにより、車両の情報が表示されるようになっている。
【００２３】
また、指針２４は、表示板２１よりも背面側に配置された発光素子２５により照明されることで発光するようになっている。
【００２４】
本実施形態の指標部８０は、表示板２１上に部分円環状に配置された文字２１ａ及び副目盛２１ｂ、及び導光板３０に図柄３９として部分円環状に配置された目盛図柄３９ａによって構成されている。指標部８０の文字２１ａ及び副目盛２１ｂは、表示板２１において、遮光性の印刷に囲まれて、半透光性の印刷が施されることにより輪郭を形成している。そして、メイン回路基板１８に実装された発光素子８１が文字２１ａ及び副目盛２１ｂを背後側から照明することにより、文字２１ａ及び副目盛２１ｂが発光表示されるようになっている。
【００２５】
本実施形態では、指標部８０が、指針２４よりも背面側の文字２１ａ及び副目盛２１ｂと指針２４よりも視認側の目盛図柄３９ａとに分かれていることで、車両の乗員に立体感を感じさせるようになっている。
【００２６】
なお、本実施形態において、左側の領域に対応した指針２４は、車両の情報として、車両の速度を表示するようになっている。右側の領域に対応した指針２４は、車両の情報として、車両のエンジン回転数を表示するようになっている。
【００２７】
導光板３０は、例えば透光性を有する合成樹脂により形成され、平板状を呈しており、板厚方向ＴＤに垂直な各方向に延設されている。導光板３０は、表示本体部２０よりも視認側に配置され、表示板２１とは実質平行に設けられている。導光板３０は、視認側を向く視認側板面３０ａ及び背面側を向く背面側板面３０ｂを有する略矩形状を呈している。本実施形態において導光板３０の板厚方向ＴＤは、視認側板面３０ａ及び背面側板面３０ｂの法線方向に実質一致するものとする。
【００２８】
第１光源部５０ａ，５０ｂは、導光板３０の外縁部３２のうち、左側の左外縁部３２Ｌ及び右側の右外縁部３２Ｒに個別に対応して合計２箇所に設けられている。左外縁部３２Ｌと対向する第１光源部５０ａは、左外縁部３２Ｌに沿って設けられた光源用基板１９上に、互いに配列された複数の発光素子５２を有している。右外縁部３２Ｒと対向する第１光源部５０ｂは、右外縁部３２Ｒに沿って設けられた光源用基板１９上に、互いに配列された複数の発光素子５２を有している。
【００２９】
各第１光源部５０ａ〜ｂにおいて各発光素子５２には、発光ダイオードが採用されており、各発光素子５２は電源と接続されることで発光する。特に本実施形態では、各発光素子５２がマルチカラーの発光ダイオードとなっているが、同じ第１光源部５０ａ又は５０ｂ内の各発光素子５２は互いに実質同一の色及び実質同じ輝度で発光制御されるようになっている。
【００３０】
第２光源部６０ａ〜ｆは、導光板３０の外縁部３２のうち、上側の上外縁部３２Ｔに対応して３箇所、及び下側の下外縁部３２Ｂに対応して３箇所、合計６箇所に設けられている（図４も参照）。上外縁部３２Ｔと対向する３箇所の第２光源部６０ａ〜ｃは、互いに左右に並べられている。このうち左側の第２光源部６０ａは、上外縁部３２Ｔのうち左側部に沿って設けられた光源用基板１９上に、互いに配列された複数の発光素子６２を有している。中央の第２光源部６０ｂは、上外縁部３２Ｔのうち中央部に沿って設けられた光源用基板１９上に、互いに配列された複数の発光素子６２を有している。右側の第２光源部６０ｃは、上外縁部３２Ｔのうち右側部に沿って配列された光源用基板１９上に、複数の発光素子６２を有している。
【００３１】
下外縁部３２Ｂと対向する３箇所の第２光源部６０ｄ〜ｆは、互いに左右に並べられている。このうち左側の第２光源部６０ｄは、下外縁部３２Ｂのうち左側に沿って設けられた光源用基板１９上に、互いに配列された複数の発光素子６２を有している。中央の第２光源部６０ｅは、下外縁部３２Ｂのうち中央部に沿って設けられた光源用基板１９上に、互いに配列された複数の発光素子６２を有している。右側の第２光源部６０ｆは、下外縁部３２Ｂのうち右側に沿って設けられた光源用基板１９上に、互いに配列された複数の発光素子を有している。
【００３２】
各第２光源部６０ａ〜ｆにおいて各発光素子６２には、発光ダイオードが採用されており、各発光素子６２は電源と接続されることで発光する。特に本実施形態では、各発光素子６２がマルチカラーの発光ダイオードとなっているが、同じ第２光源部６０ａ〜ｆ内の各発光素子６２は互いに実質同一の色及び実質同じ輝度で発光制御されるようになっている。
【００３３】
こうして各光源部５０ａ〜ｃ，６０ａ〜ｆの各発光素子５２，６２によって、導光板３０の外縁部３２は、全周に亘って取り囲まれている。
【００３４】
ここで、各光源部５０ａ〜ｃ，６０ａ〜ｆの発光素子５２，６２と導光板３０の外縁部３２との間には、図３に示すような外縁部材７０が設けられている。外縁部材７０は、外縁導光部７２と遮光部７６とを２色成形により一体的に有している。外縁導光部７２は、例えば透光性を有する合成樹脂により、第１光源光又は第２光源光を導光可能に形成されている。外縁導光部７２は、導光板３０の外縁部３２と対向する板対向面７４、及び発光素子５２又は６２と対向する光源対向面７３を有している。光源対向面７３及び板対向面７４は、それぞれ滑らかな平面状に形成されている。
【００３５】
遮光部７６は、例えば遮光性を有するエストラマにより形成され、外縁導光部７２のうち各対向面７３，７４を除く箇所を囲い込む筒状を呈している。これにより、発光素子５２又は６２が発した光源光が、外縁導光部７２に導光される際、遮光部７６により外側に漏れ難くなる。遮光部７６は、板対向面７４よりも導光板３０側へ延伸している。
【００３６】
また外縁部材７０は、背面ケース１２とウインドプレート１４との間に挟まれて保持されている。さらに遮光部７６の導光板側端部が導光板３０を挟むことによって、外縁部材７０が導光板３０を保持している。遮光部７６のエストラマの柔軟性により、車両の振動に応じて発生し得る導光板３０とケース部１０との衝突音等の異音が抑制される。
【００３７】
図４に示すように、こうして外縁部３２を介して、各光源部５０ａ〜ｃ，６０ａ〜ｆの発光素子５２，６２から発せられた第１光源光及び第２光源光が導光板３０の内部に提供される。導光板３０の内部では、各光源部５０ａ〜ｃ，６０ａ〜ｆによる第１光源光及び第２光源光は、導光板３０が延設している方向（以下、延設方向ＥＤ）に進むこととなる。ここで、導光板３０の延設方向ＥＤに進む光源光とは、導光板３０の内部を延設方向ＥＤに沿って直線的に進む光であってもよいし、導光板３０の内部を両側の板面３０ａ，３０ｂに反射されながらジグザグに進むことにより、結果的に導光板３０が延設方向ＥＤに進む光であってもよい。
【００３８】
具体的には、第１光源部５０ａからの第１光源光は、導光板３０の内部を左側から右側へ進む。第１光源部５０ｂからの第１光源光は、導光板３０の内部を右側から左側へ進む。第２光源部６０ａ〜ｃからの各第２光源光は、導光板３０の内部を上側から下側へ進む。第２光源部６０ｄ〜ｆからの各第２光源光は、導光板３０の内部を下側から上側へ進む。すなわち、第１光源光は、導光板３０の内部にて、第２光源光と交差するように、延設方向ＥＤに進む。換言すると、第２光源光は、導光板３０の内部にて、第１光源光と交差するように、延設方向ＥＤに進む。そして本実施形態では、第１光源光のうち強度が最大の進行方向ＰＤ１と第２光源光のうち強度が最大の進行方向ＰＤ２とは、互いに実質直交している。
【００３９】
そして、図１に示すように、導光板３０は、第１光源光と第２光源光との交差箇所において、反射表示部３３を有している。反射表示部３３は、表示領域ＤＡが図柄３９の形状に設けられることによって、視認側に当該図柄３９を表示可能となっている。
【００４０】
反射表示部３３の表示領域ＤＡでは、第１光源光又は第２光源光を視認側に反射する反射素子３４が延設方向ＥＤに沿って（すなわち、導光板３０が延設されている上下左右に）複数配置されている。各反射素子３４は、図５，６に示すように、微細なサイズに設定され、導光板３０の背面側板面３０ｂから当該導光板３０の内部に凹む凹穴状に形成されている。図７〜９にも示すように、反射素子３４には、第１光源光又は第２光源光を視認側に反射する反射面３５が設けられている。反射素子３４には、反射面３５として、第１光源光の入射に対応した方向を向く第１反射面３５ａを有する第１反射素子３４ａと、反射面３５として、第２光源光の入射に対応した方向を向く第２反射面３５ｂを有する第２反射素子３４ｂとが存在する。その他、各第１反射素子３４ａ及び各第２反射素子３４ｂは、傾斜背面３６及び２つの側面３７を有している。
【００４１】
第１反射面３５ａは、第１光源光が入射する外縁部３２の方を向いて配置されている。具体的に、導光板３０の左半分に配置された第１反射素子３４ａでは、第１反射面３５ａが第１光源部５０ａに対応して左外縁部３２Ｌの方を向き、導光板３０の右半分に配置された第１反射素子３４ａでは、第１反射面３５ａが第１光源部５０ｂに対応して右外縁部３２Ｒの方を向いている。こうした第１反射面３５ａは、延設方向ＥＤに長い略矩形状を呈している。第１反射面３５ａは、背面側から視認側へ向かう程、対応する第１光源部５０ａ又は５０ｂから遠ざかるように、板厚方向ＴＤに対して傾斜した平面状に形成されている。第１反射面３５ａと板厚方向ＴＤとがなす角は、３９〜４５度の範囲に設定されることが好ましく、特に本実施形態では４５度に設定されている。こうして第１反射面３５ａは、第１光源光及び第２光源光のうち、第１光源光を、視認側に反射するようになっている。
【００４２】
第２反射面３５ｂは、第２光源光が入射する外縁部３２を向いて配置されている。具体的に、導光板３０の上半分に配置された第２反射素子３４ｂでは、第２反射面３５ｂが第２光源部６０ａ〜ｃに対応して上外縁部３２Ｔの方を向き、導光板３０の下半分に配置された第２反射素子３４ｂでは、第２反射面３５ｂが第２光源部６０ｄ〜ｆに対応して右外縁部３２Ｒを向いている。こうした第２反射面３５ｂは、延設方向ＥＤに長い略矩形状を呈している。第２反射面３５ｂは、背面側から視認側へ向かう程、対応する第２光源部６０ａ〜ｃ又は６０ｄ〜ｆから遠ざかるように、板厚方向ＴＤに対して傾斜した平面状に形成されている。第２反射面３５ｂと板厚方向ＴＤとがなす角は、３９〜４５度の範囲に設定されることが好ましく、特に本実施形態では４５度に設定されている。こうして第２反射面３５ｂは、第１光源光及び第２光源光のうち、第２光源光を、視認側に反射するようになっている。
【００４３】
傾斜背面３６は、反射面３５とは反対側を向いて設けられることで、一反射素子３４において反射面３５とは背中合わせに設けられている。傾斜背面３６は、板厚方向ＴＤに対して例えば５度傾斜した平面状に形成されている。すなわち、傾斜背面３６は、反射面３５の傾斜よりも傾斜角を小さく設定されていることで、傾斜背面３６に第１光源光又は第２光源光が反射されたとしても、乗員からは視認できない方向に反射されることとなる。
【００４４】
２つの側面３７は、一反射素子３４において、反射面３５の側端部と傾斜背面３６の側端部との間に、それぞれ配置され、平面状に形成されている。側面３７は、反射面３５の傾斜よりも傾斜角を小さく設定され、さらに傾斜背面３６の傾斜と同程度もしくは傾斜背面３６の傾斜よりも傾斜角を小さく設定されている。したがって、側面３７に第１光源光又は第２光源光が反射されたとしても、乗員からは視認できない方向に反射されることとなる。
【００４５】
図１，５，６に示すように、このような反射素子３４ａ，３４ｂにより、反射表示部３３は、表示領域ＤＡとして、第１表示領域ＤＡ１及び第２表示領域ＤＡ２を有している。第１表示領域ＤＡ１は、反射素子３４のうち、第１反射素子３４ａが複数配置されて構成されている。第１表示領域ＤＡ１において各第１反射素子３４ａは、延設方向ＥＤに沿って平坦に形成された平坦部３８を介することで、互いに離間して、１つずつ配置されている。特に本実施形態では、第１表示領域ＤＡ１において各第１反射素子３４ａは、延設方向ＥＤのうち、進行方向ＰＤ１及び進行方向ＰＤ２に合わせて、上下方向及び左右方向の２次元方向に互いに配列されている。
【００４６】
第２表示領域ＤＡ２は、反射素子３４のうち、第２反射素子３４ｂが複数配置されて構成されている。第２表示領域ＤＡ２において各第２反射素子３４ｂは、延設方向ＥＤに沿って平坦に形成された平坦部３８を介することで、互いに離間して、１つずつ配置されている。特に本実施形態では、第２表示領域ＤＡ２において各第２反射素子３４ｂは、延設方向ＥＤのうち、進行方向ＰＤ１及び進行方向ＰＤ２に合わせて、上下方向及び左右方向の２次元方向に互いに配列されている。
【００４７】
こうした反射表示部３３は、導光板３０のうち指針表示部２２と対向する箇所、すなわち第１光源部５０ａからの第１光源光と第２光源部６０ａ，６０ｄからの第２光源光とが交差する箇所及び第１光源部５０ｂからの第１光源光と第２光源部６０ｃ，ｆからの第２光源光とが交差する箇所においてそれぞれ、図柄３９として、上述の目盛図柄３９ａを形成している。加えて、反射表示部３３は、導光板３０のうち画像表示部２７と対向する箇所、すなわち第１光源部５０ａ，５０ｂからの第１光源光と第２光源部６０ｂ，６０ｅからの第２光源光とが交差する箇所において、図柄３９として、画像表示部２７を囲い込む枠図柄３９ｂを形成している。
【００４８】
ここで、２つの目盛図柄３９ａは互いに同様の構成となっているため、左側の目盛図柄３９ａについて代表して説明する。図５に拡大して示すように、目盛図柄３９ａは、表示板２１の文字２１ａ及び副目盛２１ｂの位置に対応して部分円環状に配列されている。目盛図柄３９ａは、第１表示領域ＤＡ１と第２表示領域ＤＡ２との組み合わせにより表示される。目盛図柄３９ａのうち内側に配置された内側部分は、回転軸２３ａを中心として放射状に延伸する形状となっており、第１表示領域ＤＡ１により構成されている。内側部分において、指針２４側としての内周側は、先端に向かう程幅が小さくなる先細り形状となっている。
【００４９】
目盛図柄３９ａのうち外側に配置された外側部分は、内側部分を指針２４とは反対側となる外周側から囲い込むＵ字形状となっており、第２表示領域ＤＡ２により構成されている。外側部分において、指針２４側としての内周側は、先端に向かう程幅が小さくなる先細り形状となっている。反射表示部３３は、内側部分を構成する第１表示領域ＤＡ１と外側部分を構成する第２表示領域ＤＡ２との間に、平坦部３８のみで構成された隙間の領域ＣＡを有している。
【００５０】
目盛図柄３９ａを表示する各表示領域ＤＡの外輪郭は、図柄３９の適切な表現のため、第１光源光の進行方向ＰＤ１及び第２光源光の進行方向ＰＤ２に対して傾斜する部分を有している。外輪郭の傾斜部分に接している反射素子３４には、外輪郭に合わせて進行方向ＰＤ１，ＰＤ２に対して斜めの方向に延伸する切断側面３７ａが形成されている。本実施形態において、こうした外輪郭の傾斜部分に接している反射素子３４には、表示領域ＤＡ（第１表示領域ＤＡ１又は第２表示領域ＤＡ２）の中央部に配置されている反射素子３４よりも大きく形成されている大反射素子３４ｃが含まれている。このように大反射素子３４ｃを設けることで、切断側面３７ａを有する反射素子３４に、所定以上のサイズの反射面３５が担保される。
【００５１】
図６に示す枠図柄３９ｂは、画像表示部２７の表示面２８ａの周囲を全周に亘って縁取るように、各辺が進行方向ＰＤ１又は進行方向ＰＤ２に沿って延伸する矩形環状に形成されている。枠図柄３９ｂは、第１表示領域ＤＡ１と第２表示領域ＤＡ２との組み合わせにより表示される。枠図柄３９ｂのうち、中央に配置された矩形環状の中枠部分は、第１表示領域ＤＡ１により構成されている。枠図柄３９ｂのうち、内周側に配置された矩形環状の内枠部分及び外周側に配置された矩形環状の外枠部分は、第２表示領域ＤＡ２により構成されている。枠図柄３９ｂにおいては、中枠部分を構成する第１表示領域ＤＡ１と内枠部分及び外枠部分を構成する第２表示領域ＤＡ２との間には、隙間の領域ＣＡが設けられていない。
【００５２】
こうした図柄３９の表示において、通常時では、第１光源部５０ａ，５０ｂの各発光素子５２と第２光源部６０ａ〜ｆの各発光素子５２とが互いに異なる色で発光するようになっている。例えば、第１光源部５０ａ，５０ｂの各発光素子５２が赤色にて発光すると共に、第２光源部６０ａ〜ｆの各発光素子６２が青色にて発光すると、第１表示領域ＤＡ１が赤色にて表示され、第２表示領域ＤＡ２が青色にて表示される。すなわち、目盛図柄３９ａにおいては、内側部分が赤色にて表示され、外側部分が青色にて表示される。枠図柄３９ｂにおいては、中枠部分が赤色にて表示され、内枠部分及び外枠部分が青色にて表示される。
【００５３】
一方、車両においてスポーツモードが選択されると、第１光源部５０ａ，５０ｂの各発光素子５２及び第２光源部６０ａ〜ｆの各発光素子６２が同じ色で発光する。例えば、第１光源部５０ａ，５０ｂの各発光素子５２及び第２光源部６０ａ〜ｆの各発光素子６２が赤色にて発光すると、第１表示領域ＤＡ１及び第２表示領域ＤＡ２が赤色にて表示される。車両のスポーツモードとは、乗員がスポーティな運転を楽しむことができるような車両制御が行われる状態であり、例えばエンジン回転数が高めに制御される。
【００５４】
また、状況に応じて、第１光源部５０ａ，５０ｂの各発光素子５２及び第２光源部６０ａ〜ｆの各発光素子５２のうち一方が点灯し、一方を消灯するように制御される。このようにすると、目盛図柄３９ａ及び枠図柄３９ｂのうち一部分を表示させることができる。すなわち、光源光が提供されない反射面３５ａ，３５ｂは、発光表示しなくなる。さらには、各反射素子３４が微細なサイズかつ平坦部３８を介して形成されているので、光源光が提供されない反射面３５を有する反射素子３４が乗員からは殆ど視認できなくなってしまうのである。
【００５５】
なお、各図において反射素子３４等は、見易さのため、その一部にのみ符号が付されている。
【００５６】
（作用効果）
以上説明した本実施形態の作用効果を以下に説明する。
【００５７】
本実施形態によると、導光板３０の内部にて互いに交差する第１光源光及び第２光源光に対して、第１反射面３５ａは第１光源光の入射に対応した方向を向き、第２反射面３５ｂは第２光源光の入射に対応した方向を向いている。このような向きにより、第１光源光は第１反射面３５ａにより反射され、第２光源光は第２反射面３５ｂにより反射される。したがって、例えば第１光源部５０ａ，５０ｂ及び第２光源部６０ａ〜ｆの点灯及び消灯の組み合わせ、また例えば輝度の組み合わせ、また例えば色の組み合わせによって、多様な表現が実現可能となる。以上により、図柄３９の表示における見栄えが際立って良好な車両用表示装置１００を提供することができる。
【００５８】
また、本実施形態によると、第１表示領域ＤＡ１には、第１光源光の入射に対応した方向を向く第１反射面３５ａを有する反射素子３４ａが複数配置される。第２表示領域ＤＡ２には、第２光源光の入射に対応した方向を向く第２反射面３５ｂを有する反射素子３４ｂが複数配置される。こうした第１表示領域ＤＡ１及び第２表示領域ＤＡ２を用いて、図柄３９が表示されるので、図柄３９の一部分を他の部分とは異なる表現で見せることが可能となり、図柄３９の表示における見栄えが際立って良好となる。
【００５９】
また、本実施形態によると、第１表示領域ＤＡ１と第２表示領域ＤＡ２との間に、隙間の領域ＣＡが設けられているので、第１表示領域ＤＡ１と第２表示領域ＤＡ２との境界部分だけ例えば輝度が高く視認されたり、また例えば色が混ざって視認されたりしてしまう事態を回避できる。したがって、図柄３９の表示における見栄えが一層良好となる。
【００６０】
また、本実施形態によると、指針２４に指示される目盛図柄３９ａが表示領域ＤＡによって表示される。指針２４に指示されることで注目がいき易い目盛図柄３９ａの表示において、多様な表現が可能となるので、見栄えが良好な印象を与え易くなる。
【００６１】
導光板３０の板面３０ｂから内部に凹む凹穴状に形成された反射素子３４を、表示領域ＤＡにおいて互いに複数配列した構成においては、表示領域ＤＡの外輪郭において、仮に中央部に配置された反射素子３４と同じサイズの反射素子３４を配置しようとすると、外輪郭から反射素子３４がはみ出して、図柄３９の見栄えが落ちることが懸念される。一方で、仮に外輪郭における反射素子３４を外輪郭からはみ出ないようにサイズを小さくすると、反射素子３４が点のようになり、各光源光を乱反射して図柄３９の見栄えが落ちることが懸念される。そこで本実施形態では、表示領域ＤＡの外輪郭に接している反射素子３４が表示領域の中央部に配置されている反射素子３４よりも大きく形成されている大反射素子３４ｃを含むような構成とした。このような大反射素子３４ｃの端部が外輪郭に接するように切断されていたとしても、各光源光を乱反射してしまうことは抑制されるので、図柄３９の表示における見栄えが一層良好となる。
【００６２】
また、第１実施形態によると、第１光源部５０ａ，５０ｂと第２光源部６０ａ〜ｆとは、互いに異なる色の光を提供可能に設けられる。図柄３９の色表現が多様なものとなるので、見栄えは一層良好となる。
【００６３】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００６４】
具体的に変形例１としては、図１０に示すように、表示領域ＤＡの外輪郭に接している反射素子３４において、大反射素子３４ｃが含まれないようにしてもよい。
【００６５】
変形例２としては、図１１に示すように、導光板３０は、外縁部３２において、外側へ向かう程背後側に傾斜して設けられる平面状の外縁反射面３２ｂと、外縁反射面３２ｂから背後側に延びる外縁導光部３２ａを有していてもよい。図１１の例では、外縁導光部３２ａの背後側の先端面に対向して、光源部５０ａ，ｂ又は６０ａ〜ｆの複数の発光素子５２又は６２が配列されている。複数の発光素子５２，６２が互いに異なる位置から発した光源光は、外縁導光部３２ａにより外縁反射面３２ｂへ導光され、さらに外縁反射面３２ｂにより導光板３０の内側へと反射される。このようにして、第１光源光及び第２光源光が導光板３０の内部に提供される。
【００６６】
変形例３としては、第２光源部６０ａ，６０ｄの各発光素子６２と第２光源部６０ｂ，ｅの各発光素子６２と第２光源部６０ｃ，６０ｆの各発光素子６２とが、互いに異なる色で発光するようにしてもよい。このようにすると、各目盛図柄３９ａ及び枠図柄３９ｂをそれぞれ異なる色で表示できる。
【００６７】
変形例４としては、第１光源部５０ａ，５０ｂの各発光素子５２の発光量と第２光源部６０ａ〜ｆの各発光素子６２の発光量とが互いに異なるようにしてもよい。このようにすると、図柄３９のうち一部分を高い輝度で表示させることができ、一図柄３９内で輝度コントラストを対比させた表現を実現することができる。
【００６８】
変形例５としては、反射面３５は、曲面状に形成されていてもよい。
【符号の説明】
【００６９】
１００  車両用表示装置、３０  導光板、３３  反射表示部、３４  反射素子、３５  反射面、３５ａ  第１反射面、３５ｂ  第２反射面、３９  図柄、５０ａ，５０ｂ  第１光源部、６０ａ〜ｆ  第２光源部、ＤＡ  表示領域、ＥＤ  延設方向
【図１】
2018091762.tif 000003
【図２】
2018091762.tif 000004
【図３】
2018091762.tif 000005
【図４】
2018091762.tif 000006
【図５】
2018091762.tif 000007
【図６】
2018091762.tif 000008
【図７】
2018091762.tif 000009
【図８】
2018091762.tif 000010
【図９】
2018091762.tif 000011
【図１０】
2018091762.tif 000012
【図１１】
2018091762.tif 000013